(57)【要約】      （修正有）【課題】引手部と壁部との間における指詰めを抑制しながらも、スムーズに全開させ得る引戸を提供する。【解決手段】戸先側部に戸厚方向に貫通するように設けられた開口１１に、それぞれの対向側部１３，２１側が戸厚方向両側に振れるように反対向側部１９，２６側が上下方向に沿う軸１９ａ，２６ａ回りに回動自在に保持され、かつ戸幅方向に沿って近接対向配置された戸先側引手部１２及び戸尻側引手部２０と、これら引手部１２，２０の対向側部１３，２１を少なくとも壁部側に突出させて手掛部１５，２３を形成すべく、これらのうちの一方の対向側部１３（２１）の壁部側における押圧に伴う没入に連動させて他方の対向側部２１（１３）を壁部側に突出させる出没連動機構１８，２５，３０と、を備へ、戸尻側引手部２０の前記壁部側には、引戸１の開放に伴う前記壁部の出入開口側端縁６ａへの当接に伴ってその対向側部２１を没入させるガイド面部２７を設ける。【選択図】図１
2014118681.tif 000002
【特許請求の範囲】
【請求項１】
出入開口の一側方側の壁部に沿うようにスライド自在に配設され、全開状態で前記壁部に対面するように納められる引戸であって、
戸先側部に戸厚方向に貫通するように設けられた開口に、それぞれの対向側部側が戸厚方向両側に振れるように反対向側部側が上下方向に沿う軸回りに回動自在に保持され、かつ戸幅方向に沿って近接対向配置された戸先側引手部及び戸尻側引手部と、これら引手部の対向側部を少なくとも前記壁部側に突出させて手掛部を形成するように、これらのうちの一方の対向側部の前記壁部側における押圧に伴う没入に連動させて他方の対向側部を前記壁部側に突出させる出没連動機構と、を備えており、
前記戸尻側引手部の前記壁部側には、当該引戸の開放に伴う前記壁部の出入開口側端縁への当接に伴ってその対向側部を没入させるガイド面部が設けられていることを特徴とする引戸。
【請求項２】
請求項１において、
前記出没連動機構は、前記戸先側引手部に設けられた戸先側ギア部と、前記戸尻側引手部に設けられた戸尻側ギア部と、これらに噛み合う中間ギアと、を備えていることを特徴とする引戸。
【請求項３】
請求項１または２において、
当該引戸は、前記壁部を袖壁部として袖壁納めで納められるものであって、前記戸先側引手部の反袖壁部側に手掛部が形成されるように、前記戸尻側引手部の反袖壁部側に凹所を設けたことを特徴とする引戸。
【発明の詳細な説明】
【技術分野】
【０００１】
本発明は、出入開口の一側方側の壁部に対面するように納められる引戸に関する。
【背景技術】
【０００２】
従来より、出入開口の一側方側の壁部に沿うようにスライド自在に配設され、全開状態で壁部に対面するように納められる引戸が知られている。このような引戸には、一般的には、引戸の表裏面側において開口する掘込状（凹状）の引手部が設けられている。しかしながら、このような引戸では、掘込状の引手部に手指等を掛けて引戸を全開させる際に、手指等を掘込状の引手部に挿入したままとすれば、壁部の出入開口側端縁との間に手指等が挟み込まれて指詰めが生じることが考えられる。
例えば、下記特許文献１では、指掛部材とこの指掛部材に連動するストッパ部材とを備えた一対の引手本体を表裏面側に埋め込むように設けた引戸が提案されている。この引戸は、当該引戸を開放させる際に、指掛部材を引戸開放方向にスライドさせれば、この指掛部材の戸尻側においてストッパ部材が押し出されて引手本体から突出し、ストッパ部材が壁体の端縁部に当接し、全開状態となる直前に停止される構成とされている。
【先行技術文献】
【特許文献】
【０００３】
【特許文献１】特開２００３―２３２１６５号公報
【発明の概要】
【発明が解決しようとする課題】
【０００４】
しかしながら、上記特許文献１に記載された引戸では、引戸を全開させる際には、全開状態となる直前等においてストッパ部材を押し込んで、引戸を全開させる必要があり、更なる改善が望まれる。
【０００５】
本発明は、上記実情に鑑みてなされたものであり、引手部と壁部との間における指詰めを抑制しながらも、スムーズに全開させ得る引戸を提供することを目的としている。
【課題を解決するための手段】
【０００６】
上記目的を達成するために、本発明に係る引戸は、出入開口の一側方側の壁部に沿うようにスライド自在に配設され、全開状態で前記壁部に対面するように納められる引戸であって、戸先側部に戸厚方向に貫通するように設けられた開口に、それぞれの対向側部側が戸厚方向両側に振れるように反対向側部側が上下方向に沿う軸回りに回動自在に保持され、かつ戸幅方向に沿って近接対向配置された戸先側引手部及び戸尻側引手部と、これら引手部の対向側部を少なくとも前記壁部側に突出させて手掛部を形成するように、これらのうちの一方の対向側部の前記壁部側における押圧に伴う没入に連動させて他方の対向側部を前記壁部側に突出させる出没連動機構と、を備えており、前記戸尻側引手部の前記壁部側には、当該引戸の開放に伴う前記壁部の出入開口側端縁への当接に伴ってその対向側部を没入させるガイド面部が設けられていることを特徴とする。
【０００７】
本発明においては、前記出没連動機構は、前記戸先側引手部に設けられた戸先側ギア部と、前記戸尻側引手部に設けられた戸尻側ギア部と、これらに噛み合う中間ギアと、を備えたものとしてもよい。
また、本発明においては、当該引戸は、前記壁部を袖壁部として袖壁納めで納められるものであって、前記戸先側引手部の反袖壁部側に手掛部が形成されるように、前記戸尻側引手部の反袖壁部側に凹所を設けていてもよい。
【発明の効果】
【０００８】
本発明に係る引戸は、上述のような構成としたことで、引手部と壁部との間における指詰めを抑制しながらも、スムーズに全開させることができる。
【図面の簡単な説明】
【０００９】
【図１】（ａ）〜（ｄ）は、いずれも本発明の一実施形態に係る引戸の一例を模式的に示し、図３（ｂ）のＹ部に対応させた一部破断概略横断面図である。
【図２】（ａ）〜（ｄ）は、いずれも図３（ｂ）のＹ部に対応させた一部破断概略横断面図である。
【図３】（ａ）は、同引戸を施工した状態を模式的に示す一部破断概略正面図、（ｂ）は、図３（ａ）のＸ−Ｘ線矢視に対応させた一部破断概略横断面図である。
【発明を実施するための形態】
【００１０】
以下に本発明の実施の形態について、図面に基づいて説明する。
図１〜図３は、本実施形態に係る引戸の一例を模式的に示す図である。
なお、一部の図では、他図に付している詳細な符号の一部を省略している。
また、以下の実施形態では、図３（ｂ）に示すＶ方向から引戸に対面した状態を基準として、手前側を前方、逆側を後方として、その方向等を原則的に説明する。
【００１１】
本実施形態に係る引戸１は、出入開口９の一側方側の壁部８に沿うようにスライド自在に配設され、全開状態で壁部８に対面するように納められる（図３（ａ）参照）。また、本実施形態では、住居等の建物の内壁７に設けられた開口部に配設される戸枠２に引戸１を建て付けた例を示している。また、本実施形態では、図３に示すように、引戸１が納められる壁部８を袖壁部８とした引戸構造を示している。また、図例では、引戸１を片引き状とし、一枚の引戸１を袖壁納めとした引戸構造を示している。
【００１２】
開口部は、図３（ａ）に示すように、正面視して略矩形状とされており、その上側が、横桟やまぐさ等の横架材または該横架材の下面側に固定された飼木（スペーサー材）等からなる上枠下地によって区画されている。また、開口部は、その開口幅（戸幅）方向両側が、間柱等の柱材または該柱材の開口幅方向内側に固定された飼木（スペーサー材）等からなる左右両側の縦枠下地によって区画されている。また、開口部は、その下側が、床材または床下地によって区画されている。
【００１３】
戸枠２は、図３（ａ）に示すように、上枠３と、この上枠３の長手方向両側に配設される両側の縦枠４，５と、を備えている。
上枠３は、開口部の開口幅方向に沿って長尺の帯板状とされている。この上枠３は、本実施形態では、長手方向一方側略半部の出入開口９側部位の見込み寸法（前後方向に沿う寸法、壁厚方向に沿う寸法）よりも、長手方向他方側略半部の袖壁部８側部位の見込み寸法が袖壁部８に応じて小さく形成されている。
【００１４】
また、この上枠３には、引戸１をスライド自在に吊り下げ支持する上レールが設けられている。この上レールには、引戸１の上端部がガイドされる直線状のスライド溝が設けられている。このような上レールとしては、上板部及び両側板部によって縦断面形状が、下方に向けて開口する略コ字状（略Ｕ字状または略Ｃ字状）とされたものとしてもよい。また、両側板部の下端縁部に、互いに向き合う方向に突出する案内片がそれぞれに設けられたものとしてもよい。また、これら両案内片によって、引戸１のランナー部材１０ａのローラー等を当該上レールの長手方向に沿って転動自在に支持することで、当該上レールに対して引戸１をスライド自在に吊下支持するものとしてもよい。
【００１５】
両側の縦枠４，５は、図３に示すように、本実施形態では、引戸１の戸先側に配設される戸先側縦枠４と、引戸１の戸尻側に配設される戸尻側縦枠５と、からなる。これら両側の縦枠４，５は、開口部の開口高に応じた長さ寸法とされ、帯板状とされている。また、本実施形態では、戸尻側縦枠５の見込み寸法を、袖壁部８に応じて戸先側縦枠４の見込み寸法よりも小さく形成している。
これら両側の縦枠４，５と上枠３とは、例えば、上枠３の長手方向の各端面に、各縦枠４，５の上端部内側面を当接させ、各縦枠４，５の外側面側からねじや釘等の止具を上枠に捩じ込む（または打ち込む）ことで枠組みするようにしてもよい。
【００１６】
本実施形態では、図３に示すように、袖壁部８の出入開口９側端部に中方立６を設けている。
また、本実施形態では、中方立６の前端部（見込み方向引戸対面側端部）の出入開口側端縁６ａを、壁部（袖壁部８）の出入開口側端縁としている。
中方立６は、開口部の開口高に応じた長さ寸法とされ、帯板状とされている。また、中方立６は、袖壁部８に応じた見込み寸法とされており、その見込み寸法が袖壁部８の壁厚よりも大きく形成されている。
【００１７】
また、この中方立６は、その前端部が当該中方立６の戸尻側に設けられた袖壁部８の引戸納め側面（前面）よりも前方側に突出するように配設されている。
この中方立６は、その上端部を上記した上枠の出入開口９側部位と袖壁部８側部位との境界部位に係合させ、該上端部が上枠３に止具によって固定される。また、中方立６の下端部は、床材や床下地等に上記同様の止具によって固定するようにしてもよい。
【００１８】
また、この中方立６の戸尻側に設けられた袖壁部８は、開口部の戸尻側の内側面から戸先側に向けて延びるように設けられた袖壁下地の引戸納め側面（前面）及び反引戸納め側面（後面）のそれぞれに壁パネルを固定した構造とされている。
これら上枠３、両側の縦枠４，５及び中方立６からなる戸枠２並びに袖壁部８を施工した状態では、袖壁部８の手前側に引戸１のスライドスペースが形成され、中方立６の戸先側に引戸１によって開閉される出入開口９が形成される。
なお、この中方立６の前端面から突出させるように隙間遮蔽部材（モヘア部材）を設けるようにしてもよい。また、このような中方立６を設けない態様としてもよい。この場合は、袖壁部８の引戸対面側面（前面）側の出入開口９側の端縁を、壁部（袖壁部８）の出入開口側端縁として把握するようにすればよい。
【００１９】
引戸１は、略矩形平板状の引戸本体１０を備えている。
また、本実施形態では、引戸本体１０の上端部に、図３（ａ）に示すように、上記した上レールに支持されるランナー部材１０ａを連結固定している。図例では、引戸本体１０の上端部の戸幅方向両側端部のそれぞれにランナー部材１０ａ，１０ａを設けた例を示している。このようなランナー部材１０ａ，１０ａとしては、水平軸廻りに回転し、上レールの両案内片上を転動するローラーを備えたものとしてもよい。
引戸１は、このランナー部材１０ａ，１０ａが上レールのスライド溝に挿入され、その上端部が引戸１の戸幅方向に沿って直線状に移動するように、スライド自在に吊下支持される。
【００２０】
なお、引戸本体１０の下端面に、床等に設けられたガイドピン等のガイド部材を受け入れる下方側に向けて開口するガイド溝を設けるようにしてもよい。
また、引戸１をスライド自在に配設する態様としては、上記のような上吊り構造に限られず、下荷重構造としてもよい。この場合は、引戸１の上端部に、ランナー部材に代えて、上レール等に係合する案内片やピボット等を設けるようにしてもよい。また、この場合は、引戸１の下端部に戸車等の転動体を設け、この転動体をガイドする下レール等を床に敷設または床に埋設するようにしてもよい。
【００２１】
また、引戸本体１０は、図３（ｂ）に示すように、閉鎖状態（出入開口９を閉鎖した状態）で、その戸尻側端部が中方立６と前後方向に重合する構成とされている。図例では、引戸１が閉鎖状態で、引戸本体１０の戸尻側端面が中方立６の反出入開口９側側面（袖壁側側面）と略同一平面状となる構成としている。
また、この引戸本体１０は、図２（ａ）に示すように、全開状態（出入開口９を開放した状態）で、その戸先側端部が中方立６と前後方向に重合する構成とされている。図例では、引戸１が全開状態で、引戸本体１０の戸先側端面が中方立６の出入開口９側側面と略同一平面状となる構成としている。
また、引戸１は、引戸本体１０と中方立６との間に所定のクリアランスを設けるように配設される。このクリアランスは、引戸１の開放方向及び閉鎖方向への移動のさせ易さや、指詰め防止等の観点から適宜の寸法としてもよい。また、このクリアランスは、指詰め等を防止する観点から極力小さい寸法としてもよい。
【００２２】
また、引戸１（引戸本体１０）は、図３に示すように、戸先側部に戸厚方向に貫通するように開口（引手開口）１１を設け、この引手開口１１に引手部を設けた構造とされている。この引手部は、互いに戸幅方向に沿って近接対向配置された戸先側引手部１２と戸尻側引手部２０とによって構成されている。
引手開口１１は、図３に示すように、引戸本体１０の戸厚方向に見て（正面視して）上下方向に長尺な略矩形状とされている。本実施形態では、引手開口１１を、引戸本体１０の上下方向の概ね全体に亘って設けている。なお、この引手開口１１は、引戸本体１０の戸先側部を刳り抜くようにして設けるようにしてもよい。または、引戸本体１０の引手開口１１の戸先側部位を構成する部材と戸尻側部位を構成する部材とを、引手開口１１の上下両側で適宜の補強連結部材によって連結して引手開口１１を設けた態様としてもよい。
【００２３】
戸先側引手部１２及び戸尻側引手部２０は、図１及び図３（ｂ）に示すように、それぞれの対向側部１３，２１側が戸厚方向両側に振れるように反対向側部１９，２６側が上下方向に沿う軸１９ａ，２６ａ回りにそれぞれ回動自在に保持されている。
本実施形態では、戸先側引手部１２及び戸尻側引手部２０を、図３（ａ）に示すように、それぞれ上下方向に長尺状としており、引手開口１１の上下方向の略全体に亘って設けている。つまり、これら戸先側引手部１２及び戸尻側引手部２０を、引戸本体１０の上下方向の概ね全体に亘って設けている。このような構成とすることで、これら戸先側引手部１２及び戸尻側引手部２０が引戸本体１０の戸先側部においてライン状となり、すっきりとした印象を与えることができる。
【００２４】
また、引戸１は、これら戸先側引手部１２及び戸尻側引手部２０の対向側部１３，２１を少なくとも戸厚方向における袖壁部８側に突出させて壁部側手掛部１５，２３を形成するように、これらのうちの一方の対向側部１３（２１）の袖壁部８側における押圧に伴う没入に連動させて他方の対向側部２１（１３）を袖壁部８側に突出させる出没連動機構１８，２５，３０を備えている。
本実施形態では、図１に示すように、出没連動機構１８，２５，３０を、戸先側引手部１２に設けられた戸先側ギア部１８と、戸尻側引手部２０に設けられた戸尻側ギア部２５と、これらに噛み合う中間ギア３０と、を備えたものとしている。
【００２５】
出没連動機構１８，２５，３０は、図１（ａ）及び（ｂ）に示すように、戸先側引手部１２の対向側部（戸先側対向側部）１３の袖壁部８側における押圧に伴う没入に連動させて戸尻側引手部２０の対向側部（戸尻側対向側部）２１を引戸本体１０の後面から戸厚方向における袖壁部８側に突出させる構成とされている。これにより、戸尻側引手部２０の戸尻側対向側部２１に、袖壁部８側において引戸１を開放する際に操作される壁部８側の手掛部としての壁側開放手掛部２３が形成される。
一方、出没連動機構１８，２５，３０は、図２（ｃ）及び（ｄ）に示すように、戸尻側引手部２０の戸尻側対向側部２１の袖壁部８側における押圧に伴う没入に連動させて戸先側引手部１２の戸先側対向側部１３を引戸本体１０の後面から戸厚方向における袖壁部８側に突出させる構成とされている。これにより、戸先側引手部１２の戸尻側対向側部１３に、袖壁部８側において引戸１を閉鎖する際に操作される壁部８側の手掛部としての壁側閉鎖手掛部１５が形成される。
また、本実施形態では、戸先側引手部１２の反袖壁部８側に手掛部１７が形成されるように、戸尻側引手部２０の反袖壁部８側に凹所２４を設けている。この手掛部１７は、図２（ａ）及び（ｂ）に示すように、反袖壁部８側において引戸１を閉鎖する際に操作される反壁側閉鎖手掛部１７となる。
【００２６】
これら戸先側引手部１２及び戸尻側引手部２０は、凹所２４を除いて概ね同様の構成とされている。
また、これら戸先側引手部１２及び戸尻側引手部２０の戸厚方向に沿う寸法（厚さ寸法）は、これら引手部１２，２０の各対向側部１３，２１が戸厚方向に振れていない状態（非振状態）で、これら引手部１２，２０が、引戸本体１０の前後面から突出しない寸法とされている。
本実施形態では、戸先側引手部１２の非振状態における厚さ寸法を、引戸本体１０の戸厚寸法と略同寸法としている。また、戸尻側引手部２０の非振状態における凹所２４が設けられた部位の厚さ寸法を、戸先側引手部１２の非振状態における厚さ寸法から凹所２４の戸厚方向に沿う寸法（深さ寸法）を差し引いた寸法としている。
【００２７】
これら戸先側引手部１２及び戸尻側引手部２０の各軸（戸先側軸１９ａ及び戸尻側軸２６ａ）は、軸方向を上下方向、つまり、引戸本体１０の高さ方向に沿わせて設けられている。これら引手部１２，２０の各軸１９ａ，２６ａは、それぞれ引戸本体１０の戸厚方向略中央に位置するように設けられている。なお、これら引手部１２，２０の各軸１９ａ，２６ａは、各引手部１２，２０の反対向側部１９，２６に設けられた軸部としてもよい。この場合は、引手開口１１の天面及び底面に該軸部を回動自在に保持する軸受部を設けるようにしてもよい。または、引手開口１１の天面及び底面に各引手部１２，２０の軸１９ａ，２６ａとなる軸部を設け、各引手部１２，２０の反対向側部１９，２６に該軸部を回動自在に保持する軸受部を設けた態様としてもよい。
【００２８】
また、本実施形態では、戸先側引手部１２の反対向側部（戸先側反対向側部）１９を、当該戸先側引手部１２が戸先側軸１９ａ回りに回動する際に、戸先側反対向側部１９がこれに対向する引手開口１１の側面に干渉しないように、平面視（横断面視）して戸先側に向けて凸湾曲形状としている。
また、本実施形態では、戸尻側引手部２０の反対向側部（戸尻側反対向側部）２６を、当該戸尻側引手部２０が戸尻側軸２６ａ回りに回動する際に、戸尻側反対向側部２６がこれに対向する引手開口１１の側面に干渉しないように、平面視（横断面視）して戸尻側に向けて凸湾曲形状としている。
このような構成とすることで、これら戸先側引手部１２及び戸尻側引手部２０と、引手開口１１を区画する両側面との隙間を小さくすることができる。
【００２９】
また、本実施形態では、出没連動機構１８，２５，３０を構成する中間ギア３０を平歯車とし、戸先側ギア部１８及び戸尻側ギア部２５を、ラックギア状とした例を示している。なお、戸先側ギア部１８及び戸尻側ギア部２５を、平歯車の少なくとも一部を構成するような平歯車状のものとしてもよい。
中間ギア３０は、引戸本体１０の戸厚方向略中央に上下方向に沿う軸３０ａ回りに回動自在に設けられている。この中間ギア３０は、引手開口１１の上下方向の概ね全体に亘って設けられたものとしてもよい。また、この中間ギア３０の上下端部を回動自在に保持する軸受部を引手開口１１の天面及び底面に設けるようにしてもよい。
【００３０】
また、本実施形態では、各引手部１２，２０の対向端部１３，２１にギア部１８，２５を設けている。これらギア部１８，２５は、引戸本体１０の戸厚方向略中央に位置するように設けられている。これらギア部１８，２５は、各引手部１２，２０の上下方向の概ね全体に亘って設けられたものとしてもよい。
図例では、非振状態における戸先側引手部１２の戸先側対向側部１３の戸尻側引手部２０側に向く面に、戸尻側引手部２０側に向けて突出するように戸先側ギア部１８を設けた例を示している。また、この戸先側ギア部１８は、戸先側引手部１２の戸先側ギア部１８の厚さ方向両側に、壁側閉鎖手掛部１５及び反壁側閉鎖手掛部１７が形成されるように設けられている。
また、非振状態における戸尻側引手部２０の戸尻側対向側部２１の戸先側引手部１２側に向く面に、戸先側引手部１２側に向けて突出するように戸尻側ギア部２５を設けた例を示している。また、この戸尻側ギア部２５は、戸尻側引手部２０の戸尻側ギア部２５の厚さ方向両側に、壁側開放手掛部２３及び凹所２４が形成されるように設けられている。
なお、図例では、出没連動機構１８，２５，３０を構成する中間ギア３０及びギア部１８，２５の構成を概念的に示しており、各引手部１２，２０が非振れ状態で、戸先側引手部１２と戸尻側引手部２０との間に比較的に大きな隙間が生じたような図示をしているが、この隙間は、手指等の挿入が不能な隙間とされている。つまり、戸先側引手部１２及び戸尻側引手部２０は、非振状態で、手指等の挿入が不能な隙間を設けるように近接対向配置されている。
【００３１】
戸先側引手部１２の戸先側対向側部１３の戸先側ギア部１８の厚さ方向両側に設けられた壁側閉鎖手掛部１５及び反壁側閉鎖手掛部１７は、略平坦状とされている。図例では、これら壁側閉鎖手掛部１５及び反壁側閉鎖手掛部１７を、略同一平面状としており、戸先側引手部１２が非振状態で、これらを戸尻側に向く略平坦面状としている。
戸先側引手部１２の戸先側対向側部１３の戸厚方向両側面（袖壁部８側面及び反袖壁部８側面）は、壁側閉鎖手掛部１５及び反壁側閉鎖手掛部１７に連なる面とされており、互いに略平行な略平坦状とされている。また、これら戸厚方向両側面は、戸先側引手部１２が非振状態で、引戸本体１０の前後面と略同一平面状となるように形成されている。
【００３２】
戸尻側引手部２０の戸尻側対向側部２１の戸尻側ギア部２５の厚さ方向壁側に設けられた壁側開放手掛部２３は、略平坦状とされている。図例では、壁側開放手掛部２３を、戸尻側引手部２０が非振状態で、戸先側に向く略平坦面状としている。また、各引手部１２，２０が非振状態で、戸尻側引手部２０の壁側開放手掛部２３と戸先側引手部１２の壁側閉鎖手掛部１５とを略平行状に近接対向配置させている。なお、このような態様に代えて、各引手部１２，２０が非振状態で、壁側開放手掛部２３及び壁側閉鎖手掛部１５の各対向面が、戸厚方向における袖壁部８側に向けて先細り状のテーパ面となるように、各引手部１２，２０を形成するようにしてもよい。これによれば、袖壁部８側における戸先側引手部１２と戸尻側引手部２０との間の隙間を低減させることができ、壁側閉鎖手掛部１５及び壁側開放手掛部２３への手掛かり性を向上させることができる。
戸尻側引手部２０の戸尻側対向側部２１の袖壁部８側面は、壁側開放手掛部２３に連なる面とされている。また、この戸尻側引手部２０の戸尻側対向側部２１の袖壁部８側面は、戸尻側引手部２０が非振状態で、引戸本体１０の後面と略同一平面状となるように形成されている。
【００３３】
上記した戸先側引手部１２の壁側閉鎖手掛部１５及び戸尻側引手部２０の壁側開放手掛部２３における各引手部１２，２０の厚さ方向に沿う寸法は、突出した状態で手掛けが可能なように、人間工学的な観点等から適宜の寸法に設定してもよい。また、上記した戸先側ギア部１８及び戸尻側ギア部２５の中間ギア３０との噛み合わせ部位における各引手部１２，２０の厚さ方向に沿う寸法を小さくすることによって、これら壁側閉鎖手掛部１５及び壁側開放手掛部２３を大きくするようにしてもよい。
また、これら壁側閉鎖手掛部１５及び壁側開放手掛部２３を、それぞれ戸先側引手部１２及び戸尻側引手部２０の上下方向の略全長に亘って設けるようにしてもよい。または、これら壁側閉鎖手掛部１５及び壁側開放手掛部２３を、戸先側引手部１２及び戸尻側引手部２０の上下方向途中位置若しくは下側部位のみに設けるようにしてもよい。
【００３４】
また、戸尻側引手部２０の袖壁部８側には、引戸１の開放に伴う袖壁部８の出入開口側端縁６ａへの当接に伴ってその戸尻側対向側部２１を没入させるガイド面部２７が設けられている。
本実施形態では、このガイド面部２７を、上記した袖壁部８側面としている。
このガイド面部２７は、図１（ｂ）及び（ｃ）に示すように、戸尻側引手部２０の戸尻側対向側部２１が戸厚方向における袖壁部８側に突出した状態で、平面（横断面）視して引戸本体１０の後面に連なるような傾斜面状となる。戸尻側引手部２０の戸尻側対向側部２１が引戸本体１０の後面から袖壁部８側に最大限突出した状態における、ガイド面部２７に略同一平面状の仮想面と引戸本体１０の後面とのなす角度は、ガイド面部２７の出入開口側端縁６ａへの当接に伴って戸尻側対向側部２１がスムーズに没入するように、また、ガイド面部２７の損傷を抑制するように、適宜の角度としてもよい。例えば、当該角度を、略４５度未満としてもよく、図例では、略４０度とした例を示している（図１（ｂ）参照）。
【００３５】
戸尻側引手部２０の凹所２４は、戸尻側引手部２０の反袖壁部８側を凹ませるように形成されている。この凹所２４は、戸尻側引手部２０の上下方向の略全長に亘って設けるようにしてもよく、または、戸尻側引手部２０の上下方向途中位置等の適宜の箇所に設けるようにしてもよい。つまり、この凹所２４は、この凹所２４によって形成される戸先側引手部１２の反壁側閉鎖手掛部１７に手掛けが可能なように形成するようにすればよい。
また、本実施形態では、図１（ａ）に示すように、引手開口１１の戸先側に向く側面の反袖壁部側の部位を、反袖壁部８側において引戸１を開放する際に操作される反壁側開放手掛部１１ａとしている。
なお、戸尻側引手部２０の非振状態における凹所２４の深さ寸法は、これら反壁側閉鎖手掛部１７及び反壁側開放手掛部１１ａが形成されるように、上記同様、適宜の寸法としてもよい。
なお、上記構成とされた戸先側引手部１２及び戸尻側引手部２０は、木質系材料や合成樹脂系材料、金属系材料等から形成されたものとしてもよい。
【００３６】
次に、上記構成とされた引戸１の開閉操作の一例について図１及び図２を参照して説明する。
図１は、閉鎖状態とされた引戸１を袖壁部８側から開放方向に移動させる操作の一例を示している。
図１（ａ）及び（ｂ）に示すように、戸先側引手部１２の戸先側対向側部１３を袖壁部８側から手指等によって引戸本体１０の戸厚方向中心側に向けて押圧する。この押圧に伴い戸先側引手部１２が戸先側軸１９ａ回りに回転し、戸先側引手部１２の戸先側対向側部１３の戸先側袖壁側部１４が没入する。また、これに伴い中間ギア３０が戸先側引手部１２とは逆方向に回転し、この中間ギア３０の回転に伴い戸尻側引手部２０が戸尻側軸２６ａ回りに戸先側引手部１２と同方向に回転する。これにより、戸尻側引手部２０の戸尻側対向側部２１の戸尻側袖壁側部２２が袖壁部８側に突出し、壁側開放手掛部２３が形成される。
【００３７】
このように形成された壁側開放手掛部２３に手指等を掛けて、引戸１を開放方向に向けて移動させるようにしてもよい。
また、図１（ｃ）に示すように、引戸１の開放に伴い、戸尻側引手部２０が出入開口側端縁６ａに至り、そのガイド面部２７が出入開口側端縁６ａに当接すれば、このガイド面部２７のガイド作用により、戸尻側引手部２０の戸尻側対向側部２１の戸尻側袖壁側部２２が引戸１の戸厚方向中心側に向けて没入する。また、更なる引戸１の開放に伴い、図１（ｄ）に示すように、壁側開放手掛部２３が消失するように戸尻側引手部２０の戸尻側袖壁側部２２が没入し、全開される。
なお、閉鎖状態とされた引戸１を反袖壁部８側から開放方向に移動させる際には、上記した反壁側開放手掛部１１ａに手指等を掛けて、引戸１を開放方向に向けて移動させるようにしてもよい（図１（ａ）参照）。
【００３８】
全開状態とされた引戸１を反袖壁部８側から閉鎖方向に移動させる際には、図２（ａ）及び（ｂ）に示すように、戸先側引手部１２の戸先側反袖壁側部１６の反壁側閉鎖手掛部１７に手指等を掛けて、引戸１を閉鎖方向に向けて移動させるようにしてもよい。
なお、このように反壁側閉鎖手掛部１７に手指等を掛けて、引戸１を閉鎖する方向へ移動させる際には、引戸１がスライド自在に配設され、各引手部１２，２０の軸１９ａ，２６ａや出没連動機構１８，２５，３０に摩擦等が生じるため、戸先側引手部１２が戸先側軸１９ａ回りに回動し難い構成とされている。
【００３９】
図２（ｃ）及び（ｄ）は、開放状態とされた引戸１を袖壁部８側から閉鎖方向に移動させる操作の一例を示している。図２（ｃ）では、袖壁部８側から手掛操作可能なように引戸１の戸先側部を出入開口９側に突出させている。
図２（ｃ）及び（ｄ）に示すように、戸尻側引手部２０の戸尻側対向側部２１を袖壁部８側から手指等によって引戸本体１０の戸厚方向中心側に向けて押圧する。この押圧に伴い戸尻側引手部２０が戸尻側軸２６ａ回りに回転し、戸尻側引手部２０の戸尻側対向側部２１の戸尻側袖壁側部２２が没入する。また、これに伴い中間ギア３０が戸尻側引手部２０とは逆方向に回転し、この中間ギア３０の回転に伴い戸先側引手部１２が戸先側軸１９ａ回りに戸尻側引手部２０と同方向に回転する。これにより、戸先側引手部１２の戸先側対向側部１３の戸先側袖壁側部１４が袖壁部８側に突出し、壁側閉鎖手掛部１５が形成される。
このように形成された壁側閉鎖手掛部１５に手指等を掛けて、引戸１を閉鎖方向に向けて移動させるようにしてもよい。
【００４０】
本実施形態に係る引戸１は、上述のような構成としたことで、引手部１２，２０と壁部８との間における指詰めを抑制しながらも、スムーズに全開させることができる。
つまり、当該引戸１は、戸先側引手部１２及び戸尻側引手部２０の対向側部１３，２１を少なくとも壁部８側に突出させて手掛部１５，２３を形成するように、これらのうちの一方の対向側部１３（２１）の壁部８側における押圧に伴う没入に連動させて他方の対向側部２１（１３）を壁部８側に突出させる出没連動機構１８，２５，３０を備えている。従って、上述のように、壁部８側において突出して形成された手掛部１５，２３に手指等を掛けて、引戸１を開放方向や閉鎖方向へ移動させることができる。これにより、引戸の壁部８側に掘込状の引手を設けた場合と比べて、引手部１２，２０と壁部８との間における指詰めを抑制することができる。
また、戸尻側引手部２０の壁部８側に、当該引戸１の開放に伴う壁部８の出入開口側端縁６ａへの当接に伴ってその対向側部２１を没入させるガイド面部２７を設けている。これにより、壁部８との隙間がなくなり、より効果的に指詰めを抑制することができる。また、引戸１の開放に伴いガイド面部２７が壁部８の出入開口側端縁６ａに当接されて戸尻側引手部２０の対向側部２１が没入するので、例えば、引戸の全開状態の直前等にストッパ部材を押し込む必要があるものとした場合と比べて、引戸１をスムーズに全開させることができる。
つまりは、引戸１の戸尻側引手部２０を壁部８側に突出させて手掛部２３を形成することが可能でありながらも引戸１の開放に伴って戸尻側引手部２０が没入して全開状態とできるので、使い勝手の良い引戸１となる。
【００４１】
また、本実施形態では、出没連動機構１８，２５，３０を、戸先側引手部１２に設けられた戸先側ギア部１８と、戸尻側引手部２０に設けられた戸尻側ギア部２５と、これらに噛み合う中間ギア３０と、を備えたものとしている。従って、例えば、出没連動機構をプーリーとベルト等によって構成した場合と比べて、比較的確実に戸先側引手部１２及び戸尻側引手部２０のそれぞれの対向側部１３，２１の出没を連動させることができる。
なお、戸先側ギア部１８、戸尻側ギア部２５及び中間ギア３０としては、上記した態様に限られない。例えば、各引手部１２，２０の上下端部に固定的に各ギア部１８，２５を設け、これらに噛み合う中間ギア３０を、引手開口１１の天面近傍部位及び底面近傍部位等に回動自在に保持させた態様としてもよい。
また、これら中間ギア３０、戸先側ギア部１８及び戸尻側ギア部２５は、互いに噛み合い上記のように各引手部１２，２０の対向側部１３，２１の出没の連動が可能なものであればよく、例えば、互いに噛み合うはすば歯車状のものや、その他、種々の形状とされたものとしてもよい。
【００４２】
また、本実施形態では、戸先側引手部１２の反袖壁部８側に手掛部１７が形成されるように、戸尻側引手部２０の反袖壁部８側に凹所２４を設けている。従って、この戸先側引手部１２の反袖壁部８側の手掛部１７に手指等を掛けて、引戸１を反袖壁部８側から閉鎖方向へ移動させることができる。また、このような態様に代えて、戸尻側引手部２０の対向側部２１の反袖壁部８側における押圧によって戸先側引手部１２の対向側部１３を反袖壁部８側に突出させて手掛部を形成するような態様とした場合には、引戸１と袖壁部８とのクリアランスによっては、戸尻側引手部２０の対向側部２１が袖壁部８と干渉し、戸先側引手部１２に手掛部を形成し難くなる場合があるが、本実施形態では、上記のような構成により戸先側引手部２１の反袖壁部８側に手掛部１７を形成することができる。
【００４３】
なお、上記した例では、引戸１を、壁部８を袖壁部８として袖壁納めで納められるものとした例を示しているが、この態様に限定されない。例えば、複数枚の引戸１を引き分け状に納める袖壁を出入開口９の両側のそれぞれに設けるようにしてもよい。または、このような態様に代えて、建物の間仕切壁部としての内壁７を壁部とし、この壁部に沿って一枚若しくは複数枚の引戸１を納める、いわゆるアウトセット納めとしてもよい。
また、本実施形態では、戸先側引手部１２の反袖壁部８側に手掛部１７が形成されるように、戸尻側引手部２０の反袖壁部８側に凹所２４を設けた例を示しているが、この態様に限定されない。例えば、戸尻側引手部２０の凹所２４に加えて、戸先側引手部１２の反袖壁部８側にも凹所を設け、引手開口１１の戸尻側に向く面の反袖壁部８側の部位を手掛部（反壁側閉鎖手掛部）としてもよい。または、掘込状の引手を引戸１の反袖壁部８側に設けてもよく、または、引戸１の戸先側端面等に手指等を掛ける引掛部を設けるようにしてもよい。
また、引戸１を、戸袋納めで納められるものとしてもよい。この場合は、戸尻側引手部２０に凹所２４を設けずに、戸尻側引手部２０の反袖壁部８側に、戸袋口を構成する出入開口端縁に当接される上記同様のガイド面部と、上記同様の手掛部を形成するようにしてもよい。
また、本実施形態では、出没連動機構１８，２５，３０を、戸先側引手部１２に設けられた戸先側ギア部１８と、戸尻側引手部２０に設けられた戸尻側ギア部２５と、これらに噛み合う中間ギア３０とによって構成した例を示しているが、この態様に限定されない。戸先側引手部１２及び戸尻側引手部２０の上下端部等にプーリーやスプロケット等を設け、これらにベルトやチェーンを装着して連動させる態様としてもよい。または、戸先側引手部１２及び戸尻側引手部２０の上下端部等に、これらに対して回動自在に複数のアーム等を連結して連動させる態様としてもよい。
【符号の説明】
【００４４】
１        引戸
１１      引手開口（開口）
１２      戸先側引手部
１３      戸先側対向側部
１５      壁側閉鎖手掛部（壁部側の手掛部）
１７      反壁側閉鎖手掛部（反袖壁部側の手掛部）
１８      戸先側ギア部（出没連動機構）
１９      戸先側反対向側部
１９ａ    戸先側軸
２０      戸尻側引手部
２１      戸尻側対向側部
２３      壁側開放手掛部（壁部側の手掛部）
２４      凹所
２５      戸尻側ギア部（出没連動機構）
２６      戸尻側反対向側部
２６ａ    戸尻側軸
２７      ガイド面部
３０      中間ギア（出没連動機構）
６ａ      出入開口側端縁
８        袖壁部（壁部）
９        出入開口
【図１】
2014118681.tif 000003
【図２】
2014118681.tif 000004
【図３】
2014118681.tif 000005